(57)【要約】【課題】    伝送効率を向上させることができる差動データ送受信装置及び差動データ送受信方法を提供する。【解決手段】  本発明の差動データ送受信装置及び差動データ送受信方法によれば、２個の伝送線セットすなわち、４個の伝送線を利用して３個のデータを同時に伝送することができる。また、本発明の好ましい実施例による差動データ送受信装置及び差動データ送受信方法において、１つの伝送線セットを構成する２個の伝送線のいずれか一方は、中間レベル電圧に制御され、いずれか他方は、高レベル電圧又は低レベル電圧に制御される。これにより、１つの伝送線セットを構成する２個の伝送線は、一定差の電圧レベルを維持するように制御される。また、基準伝送データを生成する第１分圧電圧ＤＣ１及び第２分圧電圧ＤＣ２の電圧レベルの差も一定に維持されることができる。したがって、本発明の差動データ送受信装置及び差動データ送受信方法では、データ伝送時に動作特性が向上する。【選択図】図１
2011041252.tif 000002
【特許請求の範囲】
【請求項１】
第１及び第２伝送データと基準伝送データによる信号を第１伝送線セット及び第２伝送線セットを通じて伝送し、第１及び第２出力データと基準出力データとして発生する差動データ送受信装置であって、前記第１伝送線セットは、第１プラス伝送線及び第１マイナス伝送線で構成され、前記第２伝送線セットは、第２プラス伝送線及び第２マイナス伝送線を有する前記差動データ送受信装置において、
前記第１伝送データと前記基準伝送データによって、前記第１プラス伝送線及び前記第１マイナス伝送線のいずれか一方を第１中間レベル電圧に制御し、前記第１プラス伝送線及び前記第１マイナス伝送線のいずれか他方を第１高レベル電圧及び第１低レベル電圧のいずれか一方に制御し、前記第２伝送データと前記基準伝送データによって、前記第２プラス伝送線及び前記第２マイナス伝送線のいずれか一方を第２中間レベル電圧に制御し、前記第２プラス伝送線及び前記第２マイナス伝送線のいずれか他方を第２高レベル電圧及び第２低レベル電圧のいずれか一方に制御する前記データ送信部であって、前記第１高レベル電圧、前記第１中間レベル電圧、前記第１低レベル電圧は、手順的な電圧レベルであり、前記第２高レベル電圧、前記第２中間レベル電圧、前記第２低レベル電圧は、手順的な電圧レベルである前記データ送信部と；
前記第１プラス伝送線と前記第１マイナス伝送線の電圧レベルの大小関係を感知して前記第１出力データを発生し、前記第２プラス伝送線と前記第２マイナス伝送線の電圧レベルの大小関係を感知して前記第２出力データを発生し、前記第１プラス伝送線と前記第１マイナス伝送線の電圧レベルが分圧される第１分圧電圧と前記第２プラス伝送線と前記第２マイナス伝送線の電圧レベルが分圧される第２分圧電圧の大小関係を感知して前記基準出力データを発生するデータ受信部と；を備えることを特徴とする差動データ送受信装置。
【請求項２】
前記第１高レベル電圧、前記第１中間レベル電圧及び前記第１低レベル電圧は、各々前記第２高レベル電圧、前記第２中間レベル電圧及び前記第２低レベル電圧と同一の電圧レベルであることを特徴とする請求項１に記載の差動データ送受信装置。
【請求項３】
前記第１分圧電圧は、前記第１プラス伝送線と前記第１マイナス伝送線の電圧レベルの平均電圧であり、
前記第２分圧電圧は、前記第２プラス伝送線と前記第２マイナス伝送線の電圧レベルの平均電圧であることを特徴とする請求項１に記載の差動データ送受信装置。
【請求項４】
第１及び第２伝送データと基準伝送データによる信号を第１伝送線セット及び第２伝送線セットを通じて伝送し、第１及び第２出力データと基準出力データとして発生する差動データ送受信方法であって、前記第１伝送線セットは、第１プラス伝送線及び第１マイナス伝送線で構成され、前記第２伝送線セットは、第２プラス伝送線及び第２マイナス伝送線を有する前記差動データ送受信方法において、
前記第１伝送データと前記基準伝送データによって、前記第１プラス伝送線及び前記第１マイナス伝送線のいずれか一方を第１中間レベル電圧に制御し、前記第１プラス伝送線及び前記第１マイナス伝送線のいずれか他方を第１高レベル電圧及び第１低レベル電圧のいずれか一方に制御し、前記第２伝送データと前記基準伝送データによって、前記第２プラス伝送線及び前記第２マイナス伝送線のいずれか一方を第２中間レベル電圧に制御し、前記第２プラス伝送線及び前記第２マイナス伝送線のいずれか他方を第２高レベル電圧及び第２低レベル電圧のいずれか一方に制御する前記データ送信段階であって、前記第１高レベル電圧、前記第１中間レベル電圧、前記第１低レベル電圧は、手順的な電圧レベルであり、前記第２高レベル電圧、前記第２中間レベル電圧、前記第２低レベル電圧は、手順的な電圧レベルである前記データ送信段階と；
前記第１プラス伝送線と前記第１マイナス伝送線の電圧レベルの大小関係を感知して前記第１出力データを発生し、前記第２プラス伝送線と前記第２マイナス伝送線の電圧レベルの大小関係を感知して前記第２出力データを発生し、前記第１プラス伝送線と前記第１マイナス伝送線の電圧レベルが分圧される第１分圧電圧と前記第２プラス伝送線と前記第２マイナス伝送線の電圧レベルが分圧される第２分圧電圧の大小関係を感知して前記基準出力データを発生するデータ受信段階と；を備えることを特徴とする差動データ送受信方法。
【請求項５】
前記第１高レベル電圧、前記第１中間レベル電圧及び前記第１低レベル電圧は、各々前記第２高レベル電圧、前記第２中間レベル電圧及び前記第２低レベル電圧と同一の電圧レベルであることを特徴とする請求項４に記載の差動データ送受信方法。
【請求項６】
前記第１分圧電圧は、前記第１プラス伝送線と前記第１マイナス伝送線の電圧レベルの平均電圧であり、
前記第２分圧電圧は、前記第２プラス伝送線と前記第２マイナス伝送線の電圧レベルの平均電圧であることを特徴とする請求項４に記載の差動データ送受信方法。
【請求項７】
前記第１及び前記第２伝送データが遷移されることができるデータ遷移可能時点と前記基準伝送データの論理状態が遷移されることができる基準遷移可能時点は、同一のタイミングに制御されることを特徴とする請求項４に記載の差動データ送受信方法。
【請求項８】
前記第１及び前記第２伝送データが遷移されることができるデータ遷移可能時点と前記基準伝送データの論理状態が遷移されることができる基準遷移可能時点は、所定間隔のタイミングに制御されることを特徴とする請求項４に記載の差動データ送受信方法。
【発明の詳細な説明】
【技術分野】
【０００１】
本発明は、差動データ送受信装置に関し、特に３レベル電圧を利用してデータの伝送効率を向上させることができる差動データ送受信装置及び差動データ送受信方法に関する。
【背景技術】
【０００２】
最近、プラス信号及びマイナス信号の一対の信号でデータを伝送する差動信号法（ｄｉｆｆｅｒｅｎｔｉａｌ  ｓｉｇｎａｌｉｎｇ）がデータの伝送方法として広く使用される。本明細書においては、説明の便宜上、差動信号法によってデータを送受信する装置及び方法を各々「差動データ送受信装置及び方法」と称する。差動信号法は、１つの信号でデータを伝送するシングル−エンド（ｓｉｎｇｌｅ−ｅｎｄｅｄ）信号法に比べて、低い電子妨害発散（ＥＭＩ  ｅｍｉｓｓｉｏｎ）、高いノイズ兔疫性及び高い伝送速度などのような長所を有する。しかし、差動信号法は、シングル−エンド信号法に比べて、追加的に要求される伝送線の数が増加する。すなわち、差動信号法は、１つの伝送線セット当たり伝送されるデータの数が１個であり、伝送効率が低いという短所を有する。
【０００３】
したがって、差動信号法でデータなどを伝送するが、１つの伝送線当たり伝送されるデータの数、すなわち伝送効率を向上させることができる差動データ送受信装置及び差動データ送受信方法が要求される。
【発明の概要】
【発明が解決しようとする課題】
【０００４】
本発明の目的は、伝送効率を向上させることができる差動データ送受信装置及び差動データ送受信方法を提供することにある。
【課題を解決するための手段】
【０００５】
上記目的を達成するために、本発明の一態様は、第１及び第２伝送データと基準伝送データによる信号を第１伝送線セット及び第２伝送線セットを通じて伝送し、第１及び第２出力データと基準出力データとして発生する差動データ送受信装置であって、前記第１伝送線セットは、第１プラス伝送線及び第１マイナス伝送線で構成され、前記第２伝送線セットは、第２プラス伝送線及び第２マイナス伝送線を有する前記差動データ送受信装置に関する。本発明の差動データ送受信装置は、前記第１伝送データと前記基準伝送データによって、前記第１プラス伝送線及び前記第１マイナス伝送線のいずれか一方を第１中間レベル電圧に制御し、前記第１プラス伝送線及び前記第１マイナス伝送線のいずれか他方を第１高レベル電圧及び第１低レベル電圧のいずれか一方に制御し、前記第２伝送データと前記基準伝送データによって、前記第２プラス伝送線及び前記第２マイナス伝送線のいずれか一方を第２中間レベル電圧に制御し、前記第２プラス伝送線及び前記第２マイナス伝送線のいずれか他方を第２高レベル電圧及び第２低レベル電圧のいずれか一方に制御する前記データ送信部であって、前記第１高レベル電圧、前記第１中間レベル電圧、前記第１低レベル電圧は、手順的な電圧レベルであり、前記第２高レベル電圧、前記第２中間レベル電圧、前記第２低レベル電圧は、手順的な電圧レベルである前記データ送信部と；前記第１プラス伝送線と前記第１マイナス伝送線の電圧レベルの大小関係を感知して前記第１出力データを発生し、前記第２プラス伝送線と前記第２マイナス伝送線の電圧レベルの大小関係を感知して前記第２出力データを発生し、前記第１プラス伝送線と前記第１マイナス伝送線の電圧レベルが分圧される第１分圧電圧と前記第２プラス伝送線と前記第２マイナス伝送線の電圧レベルが分圧される第２分圧電圧の大小関係を感知して前記基準出力データを発生するデータ受信部と；を備える。
【発明の効果】
【０００６】
本発明の差動データ送受信装置及び本発明の一例による差動データ送受信方法によれば、２個の伝送線セット、すなわち４個の伝送線を利用して３個のデータ（例えば、２個のデータと１個のクロック信号）を同時に伝送することができる。これは、２個の伝送線セットで２個のデータを同時に伝送する従来技術に比べて、伝送効率が大きく向上する。
【０００７】
また、本発明によれば、１つの伝送線セットを構成する２個の伝送線は、一定差の電圧レベルを維持するように制御される。
【図面の簡単な説明】
【０００８】
【図１】本発明の一実施例による差動データ送受信装置を示す図である。
【図２】本発明の一実施例による差動データ送受信方法を示す図である。
【図３】図２の差動データ送受信方法の一例を説明するためのタイミング図である。
【図４】図２の差動データ送受信方法の他の一例を説明するためのタイミング図である。
【発明を実施するための形態】
【０００９】
本発明と本発明の動作上の利点及び本発明の実施例によって達成される目的を充分に理解するためには、本発明の好ましい実施例を例示する添付の図面及び添付の図面に記載した内容を参照しなければならない。各図面を理解するに際して、同一の部材は、できるだけ同一の参照符号で図示しようとすることに留意すべきである。なお、本発明の要旨を不明瞭にすることができると判断される公知機能及び構成に関する詳細な技術は省略される。
【００１０】
以下、添付の図面を参照して本発明の好ましい実施例を説明することによって、本発明を詳しく説明する。
【００１１】
（差動データ送受信装置）
図１は、本発明の一実施例による差動データ送受信装置を示す図である。図１を参照すれば、本発明の差動データ送受信装置は、第１及び第２伝送データＤＩＮ１、ＤＩＮ２と基準伝送データＤＩＮＣによる信号を第１伝送線セットＰＴＬ１及び第２伝送線セットＰＴＬ２を通じて伝送し、第１及び第２出力データＤＱ１、ＤＱ２と基準出力データＤＱＣとして発生する。
【００１２】
この際、前記第１及び前記第２出力データＤＱ１、ＤＱ２と前記基準出力データＤＱＣは、前記第１及び前記第２伝送データＤＩＮ１、ＤＩＮ２と前記基準伝送データＤＩＮＣに各々対応する情報を有するようになる。本実施例において、前記基準伝送データＤＩＮＣ及び前記基準出力データＤＱＣが異なるデータ及び信号の動作タイミングの基準役目を「クロック信号」として利用することがさらに好ましい。
【００１３】
前記第１伝送線セットＰＴＬ１は、第１プラス伝送線ＤＰ１及び第１マイナス伝送線ＤＮ１で構成され、第２伝送線セットＰＴＬ２は、第２プラス伝送線ＤＰ２及び第２マイナス伝送線ＤＮ２を有する。
【００１４】
本発明の差動データ送受信装置は、データ送信部１００及びデータ受信部２００を備える。
【００１５】
前記データ送信部１００は、前記第１伝送データＤＩＮ１と前記基準伝送データＤＩＮＣによって、前記第１プラス伝送線ＤＰ１及び前記第１マイナス伝送線ＤＮ１の電圧レベルを制御する。この際、前記第１伝送データＤＩＮ１と前記基準伝送データＤＩＮＣによって、前記第１プラス伝送線ＤＰ１及び前記第１マイナス伝送線ＤＮ１のいずれか一方が第１中間レベル電圧ＶＭＭ１に制御され、前記第１プラス伝送線ＤＰ１及び前記第１マイナス伝送線ＤＮ１のいずれか他方は、第１高レベル電圧ＶＨＨ１及び第１低レベル電圧ＶＬＬ１のいずれか一方に制御される。ここで、前記第１高レベル電圧ＶＨＨ１、前記第１中間レベル電圧ＶＭＭ１及び前記第１低レベル電圧ＶＬＬ１は、手順的に小さくなる電圧レベルである。好ましくは、前記第１中間レベル電圧ＶＭＭ１は、前記第１高レベル電圧ＶＨＨ１と前記第１低レベル電圧ＶＬＬ１の中間レベルである。
【００１６】
これにより、前記第１プラス伝送線ＤＰ１及び前記第１マイナス伝送線ＤＮ１は、一定差の電圧レベルを維持するように制御される。
【００１７】
また、前記データ送信部１００は、前記第２伝送データＤＩＮ２と前記基準伝送データＤＩＮＣによって、前記第２プラス伝送線ＤＰ２及び前記第２マイナス伝送線ＤＮ２の電圧レベルを制御する。この際、前記第２伝送データＤＩＮ２と前記基準伝送データＤＩＮＣによって、前記第２プラス伝送線ＤＰ２及び前記第２マイナス伝送線ＤＮ２のいずれか一方が第２中間レベル電圧ＶＭＭ２に制御され、前記第２プラス伝送線ＤＰ２及び前記第２マイナス伝送線ＤＮ１のいずれか他方は、第２高レベル電圧ＶＨＨ１及び第２低レベル電圧ＶＬＬ２のいずれか一方に制御される。ここで、前記第２高レベル電圧ＶＨＨ２、前記第２中間レベル電圧ＶＭＭ２及び前記第２低レベル電圧ＶＬＬ２は、手順的に小さくなる電圧レベルである。好ましくは、前記第２中間レベル電圧ＶＭＭ２は、前記第２高レベル電圧ＶＨＨ２と前記第２低レベル電圧ＶＬＬ２の中間レベルである。
【００１８】
これにより、前記第２プラス伝送線ＤＰ２及び前記第２マイナス伝送線ＤＮ２は、一定差の電圧レベルを維持するように制御される。
【００１９】
前記データ送信部１００は、具体的にエンコードユニット１１０、第１データローディングユニット１２０及び第２データローディングユニット１３０を備える。
【００２０】
前記エンコードユニット１１０は、第１制御信号群ＸＣＯＮ１及び第２制御信号群ＸＣＯＮ２を発生する。この際、前記第１制御信号群ＸＣＯＮ１に含まれる信号の論理状態は、前記第１伝送データＤＩＮ１及び前記基準伝送データＤＩＮＣの論理状態によって制御される。また、前記第２制御信号群ＸＣＯＮ２に含まれる信号の論理状態は、前記第２伝送データＤＩＮ２及び前記基準伝送データＤＩＮＣの論理状態によって制御される。
【００２１】
本実施例において、前記第１制御信号群ＸＣＯＮ１には、第１高レベルプラス信号Ｐ１Ｈ、第１中間レベルプラス信号Ｐ１Ｍ及び第１低レベルプラス信号Ｐ１Ｌ、そして、第１高レベルマイナス信号Ｎ１Ｈ、第１中間レベルマイナス信号Ｎ１Ｍ及び第１低レベルマイナス信号Ｎ１Ｌが含まれる。また、前記第２制御信号群ＸＣＯＮ２には、第２高レベルプラス信号Ｐ２Ｈ、第２中間レベルプラス信号Ｐ２Ｍ及び第２低レベルプラス信号Ｐ２Ｌ、そして、第２高レベルマイナス信号Ｎ２Ｈ、第２中間レベルマイナス信号Ｎ２Ｍ及び第２低レベルマイナス信号Ｎ２Ｌが含まれる。
【００２２】
前記第１データローディングユニット１２０は、前記第１制御信号群ＸＣＯＮ１によって、前記第１プラス伝送線ＤＰ１及び前記第１マイナス伝送線ＤＮ１の電圧レベルを制御する。この際、前記第１プラス伝送線ＤＰ１及び前記第１マイナス伝送線ＤＮ１のいずれか一方の電圧レベルは、前記第１中間レベル電圧ＶＭＭ１に制御される。また、前記第１プラス伝送線ＤＰ１及び前記第１マイナス伝送線ＤＮ１のいずれか一方の電圧レベルは、前記第１高レベル電圧ＶＨＨ１及び前記第１低レベル電圧ＶＬＬ１のいずれか一方に制御される。
【００２３】
前記第１データローディングユニット１２０は、さらに具体的に、第１高レベル電圧プラススイッチ１２１、第１中間レベル電圧プラススイッチ１２２、第１低レベル電圧プラススイッチ１２３、第１高レベル電圧マイナススイッチ１２４、第１中間レベル電圧マイナススイッチ１２５及び第１低レベル電圧マイナススイッチ１２６を備える。
【００２４】
前記第１高レベル電圧プラススイッチ１２１は、前記第１高レベルプラス信号Ｐ１Ｈの活性化に応答して、前記第１プラス伝送線ＤＰ１を前記第１高レベル電圧ＶＨＨ１に制御する。前記第１中間レベル電圧プラススイッチ１２２は、前記第１中間レベルプラス信号Ｐ１Ｍの活性化に応答して、前記第１プラス伝送線ＤＰ１を前記第１中間レベル電圧ＶＭＭ１に制御する。また、前記第１低レベル電圧プラススイッチ１２３は、前記第１低レベルプラス信号Ｐ１Ｌの活性化に応答して、前記第１プラス伝送線ＤＰ１を前記第１低レベル電圧ＶＬＬ１に制御する。
【００２５】
前記第１高レベル電圧マイナススイッチ１２４は、前記第１高レベルマイナス信号Ｎ１Ｈの活性化に応答して、前記第１マイナス伝送線ＤＮ１を前記第１高レベル電圧ＶＨＨ１に制御する。前記第１中間レベル電圧マイナススイッチ１２５は、前記第１中間レベルマイナス信号Ｎ１Ｍの活性化に応答して、前記第１マイナス伝送線ＤＮ１を前記第１中間レベル電圧ＶＭＭ１に制御する。また、前記第１低レベル電圧マイナススイッチ１２６は、前記第１低レベルマイナス信号Ｎ１Ｌの活性化に応答して、前記第１マイナス伝送線ＤＮ１を前記第１低レベル電圧ＶＬＬ１に制御する。
【００２６】
この際、前記第１伝送データＤＩＮ１と前記基準伝送データＤＩＮＣによって、前記第１中間レベルプラス信号Ｐ１Ｍ及び前記第１中間レベルマイナス信号Ｎ１Ｍのいずれか一方が活性化される。前記第１中間レベルマイナス信号Ｎ１Ｍの活性化中には、前記第１高レベルプラス信号Ｐ１Ｈ及び前記第１低レベルプラス信号Ｐ１Ｌのいずれか一方が活性化される。また、前記第１中間レベルプラス信号Ｐ１Ｍの活性化中には、前記第１高レベルマイナス信号Ｎ１Ｈ及び前記第１低レベルマイナス信号Ｎ１Ｌのいずれか一方が活性化される。
【００２７】
したがって、前記第１伝送データＤＩＮ１と前記基準伝送データＤＩＮＣによって、前記第１プラス伝送線ＤＰ１及び前記第１マイナス伝送線ＤＮ１のいずれか一方が第１中間レベル電圧ＶＭＭ１に制御され、前記第１プラス伝送線ＤＰ１及び前記第１マイナス伝送線ＤＮ１のいずれか他方は、第１高レベル電圧ＶＨＨ１及び第１低レベル電圧ＶＬＬ１のいずれか一方に制御される。
【００２８】
前記第２データローディングユニット１３０は、前記第２制御信号群ＸＣＯＮ２によって、前記第２プラス伝送線ＤＰ２及び前記第２マイナス伝送線ＤＮ２の電圧レベルを制御する。この際、前記第２プラス伝送線ＤＰ２及び前記第２マイナス伝送線ＤＮ２のいずれか一方の電圧レベルは、前記第２中間レベル電圧ＶＭＭ２に制御される。また、前記第２プラス伝送線ＤＰ２及び前記第２マイナス伝送線ＤＮ２のいずれか一方の電圧レベルは、前記第２高レベル電圧ＶＨＨ２及び前記第２低レベル電圧ＶＬＬ２のいずれか一方に制御される。
【００２９】
前記第２データローディングユニット１３０は、さらに具体的に、第２高レベル電圧プラススイッチ１３１、第２中間レベル電圧プラススイッチ１３２、第２低レベル電圧プラススイッチ１３３、第２高レベル電圧マイナススイッチ１３４、第２中間レベル電圧マイナススイッチ１３５及び第２低レベル電圧マイナススイッチ１３６を備える。
【００３０】
前記第２高レベル電圧プラススイッチ１３１は、前記第２高レベルプラス信号Ｐ２Ｈの活性化に応答して、前記第２プラス伝送線ＤＰ２を前記第２高レベル電圧ＶＨＨ２に制御する。前記第２中間レベル電圧プラススイッチ１３２は、前記第２中間レベルプラス信号Ｐ２Ｍの活性化に応答して、前記第２プラス伝送線ＤＰ２を前記第２中間レベル電圧ＶＭＭ２に制御する。また、前記第２低レベル電圧プラススイッチ１３３は、前記第２低レベルプラス信号Ｐ２Ｌの活性化に応答して、前記第２プラス伝送線ＤＰ２を前記第２低レベル電圧ＶＬＬ２に制御する。
【００３１】
前記第２高レベル電圧マイナススイッチ１３４は、前記第２高レベルマイナス信号Ｎ２Ｈの活性化に応答して、前記第２マイナス伝送線ＤＮ２を前記第２高レベル電圧ＶＨＨ２に制御する。前記第２中間レベル電圧マイナススイッチ１３５は、前記第２中間レベルマイナス信号Ｎ２Ｍの活性化に応答して、前記第２マイナス伝送線ＤＮ２を前記第２中間レベル電圧ＶＭＭ２に制御する。また、前記第２低レベル電圧マイナススイッチ１３６は、前記第２低レベルマイナス信号Ｎ２Ｌの活性化に応答して、前記第２マイナス伝送線ＤＮ２を前記第２低レベル電圧ＶＬＬ２に制御する。
【００３２】
この際、前記第２伝送データＤＩＮ２と前記基準伝送データＤＩＮＣによって、前記第２中間レベルプラス信号Ｐ２Ｍ及び前記第２中間レベルマイナス信号Ｎ２Ｍのいずれか一方が活性化される。前記第２中間レベルマイナス信号Ｎ２Ｍの活性化中には、前記第２高レベルプラス信号Ｐ２Ｈ及び前記第２低レベルプラス信号Ｐ２Ｌのいずれか一方が活性化される。また、前記第２中間レベルプラス信号Ｐ２Ｍの活性化中には、前記第２高レベルマイナス信号Ｎ２Ｈ及び前記第２低レベルマイナス信号Ｎ２Ｌのいずれか一方が活性化される。
【００３３】
したがって、前記第２伝送データＤＩＮ２と前記基準伝送データＤＩＮＣによって、前記第２プラス伝送線ＤＰ２及び前記第２マイナス伝送線ＤＮ２のいずれか一方が第２中間レベル電圧ＶＭＭ２に制御され、前記第２プラス伝送線ＤＰ２及び前記第２マイナス伝送線ＤＮ２のいずれか他方は、第２高レベル電圧ＶＨＨ２及び第２低レベル電圧ＶＬＬ２のいずれか一方に制御される。さらに図１を参照すれば、前記データ受信部２００は、前記第１プラス伝送線ＤＰ１と前記第１マイナス伝送線ＤＮ１の電圧レベル、そして、前記第２プラス伝送線ＤＰ２と前記第２マイナス伝送線ＤＮ２の電圧レベルを受信し、前記第１及び前記第２出力データＤＱ１、ＤＱ２と前記基準出力データＤＱＣを発生する。
【００３４】
この際、前記第１出力データＤＱ１は、前記第１プラス伝送線ＤＰ１と前記第１マイナス伝送線ＤＮ１の電圧レベルの大小関係による論理状態を有する。前記第２出力データＤＱ２は、前記第２プラス伝送線ＤＰ２と前記第２マイナス伝送線ＤＮ２の電圧レベルの大小関係による論理状態を有する。また、前記基準出力データＤＱＣは、前記第１プラス伝送線ＤＰ１と前記第１マイナス伝送線ＤＮ１の電圧レベルが分圧される第１分圧電圧ＤＣ１と前記第２プラス伝送線ＤＰ２と前記第２マイナス伝送線ＤＮ２の電圧レベルが分圧される第２分圧電圧ＤＣ２の大小関係による論理状態を有する。
【００３５】
好ましい実施例において、前記第１分圧電圧ＤＣ１は、前記第１プラス伝送線ＤＰ１と前記第１マイナス伝送線ＤＮ１の電圧レベルの平均電圧であり、前記第２分圧電圧ＤＣ２は、前記第２プラス伝送線ＤＰ２と前記第２マイナス伝送線ＤＮ２の電圧レベルの平均電圧である。
【００３６】
また、前記第１高レベル電圧ＶＨＨ１、前記第１中間レベル電圧ＶＭＭ１及び前記第１低レベル電圧ＶＬＬ１は、前記第２高レベル電圧ＶＨＨ２、前記第２中間レベル電圧ＶＭＭ２及び前記第２低レベル電圧ＶＬＬ２と各々同一である。
【００３７】
これにより、前記第１分圧電圧ＤＣ１及び第２分圧電圧ＤＣ２は、一定差の電圧レベルに制御される。
【００３８】
前記データ受信部２００は、具体的に第１及び第２分圧器２１０、２２０、第１及び第２比較器２３０、２４０、分圧比較器２５０を備える。
【００３９】
前記第１分圧器２１０は、前記第１プラス伝送線ＤＰ１と前記第１マイナス伝送線ＤＮ１の電圧レベルを分圧し、前記第１分圧電圧ＤＣ１を発生する。また、前記第２分圧器２２０は、前記第２プラス伝送線ＤＰ２と前記第２マイナス伝送線ＤＮ２の電圧レベルを分圧し、前記第２分圧電圧ＤＣ２を発生する。
【００４０】
前記第１比較器２３０は、前記第１プラス伝送線ＤＰ１と前記第１マイナス伝送線ＤＮ１の電圧レベルを比較し、前記第１出力データＤＱ１を発生する。また、前記第２比較器２４０は、前記第２プラス伝送線ＤＰ２と前記第２マイナス伝送線ＤＮ２の電圧レベルを比較し、前記第２出力データＤＱ２を発生する。
【００４１】
前記分圧比較器２５０は、前記第１分圧電圧ＤＣ１と前記第２分圧電圧ＤＣ２を比較し、前記基準出力データＤＣＱを発生する。
【００４２】
（差動データ送受信方法）
次に、本発明の差動データ送受信装置を利用した差動データ送受信方法を説明する。
【００４３】
図２は、本発明の一実施例による差動データ送受信方法を示す図である。本発明の差動データ送受信方法は、本発明の差動データ送受信装置が利用されることができ、第１及び第２伝送データＤＩＮ１、ＤＩＮ２と基準伝送データＤＩＮＣによる信号を第１伝送線セットＰＴＬ１及び第２伝送線セットＰＴＬ２を通じて伝送し、第１及び第２出力データＤＱ１、ＤＱ２と基準出力データＤＱＣとして発生する。
【００４４】
この際、前記第１及び前記第２出力データＤＱ１、ＤＱ２と前記基準出力データＤＱＣは、前記第１及び前記第２伝送データＤＩＮ１、ＤＩＮ２と前記基準伝送データＤＩＮＣに各々対応する情報を有するようになる。
【００４５】
また、前記第１伝送線セットＰＴＬ１は、第１プラス伝送線ＤＰ１及び第１マイナス伝送線ＤＮ１で構成され、第２伝送線セットＰＴＬ２は、第２プラス伝送線ＤＰ２及び第２マイナス伝送線ＤＮ２を有する。
【００４６】
図２を参照すれば、本発明の差動データ送受信方法は、データ送信段階Ｓ１００及びデータ受信段階Ｓ２００を備える。
【００４７】
前記データ送信段階Ｓ１００は、３レベル電圧で駆動される２個の伝送線セットを利用して、データを送信する段階であって、図１のデータ送信部１００で行われる。  
【００４８】
前記データ送信段階Ｓ１００では、前記第１伝送データＤＩＮ１と前記基準伝送データＤＩＮＣによって、前記第１プラス伝送線ＤＰ１及び前記第１マイナス伝送線ＤＮ１の電圧レベルが制御される。この際、前記第１伝送データＤＩＮ１と前記基準伝送データＤＩＮＣによって、前記第１プラス伝送線ＤＰ１及び前記第１マイナス伝送線ＤＮ１のいずれか一方が第１中間レベル電圧ＶＭＭ１に制御され、前記第１プラス伝送線ＤＰ１及び前記第１マイナス伝送線ＤＮ１のいずれか他方は、第１高レベル電圧ＶＨＨ１及び第１低レベル電圧ＶＬＬ１のいずれか一方に制御される。ここで、前記第１高レベル電圧ＶＨＨ１、前記第１中間レベル電圧ＶＭＭ１及び前記第１低レベル電圧ＶＬＬ１は、手順的に小さくなる電圧レベルである。好ましくは、前記第１中間レベル電圧ＶＭＭ１は、前記第１高レベル電圧ＶＨＨ１と前記第１低レベル電圧ＶＬＬ１の中間レベルである。
【００４９】
また、前記データ送信段階Ｓ１００では、前記第２伝送データＤＩＮ２と前記基準伝送データＤＩＮＣによって、前記第２プラス伝送線ＤＰ２及び前記第２マイナス伝送線ＤＮ２の電圧レベルが制御される。この際、前記第２伝送データＤＩＮ２と前記基準伝送データＤＩＮＣによって、前記第２プラス伝送線ＤＰ２及び前記第２マイナス伝送線ＤＮ２のいずれか一方が第２中間レベル電圧ＶＭＭ２に制御され、前記第２プラス伝送線ＤＰ２及び前記第２マイナス伝送線ＤＮ１のいずれか他方は、第２高レベル電圧ＶＨＨ１及び第２低レベル電圧ＶＬＬ２のいずれか一方に制御される。ここで、前記第２高レベル電圧ＶＨＨ２、前記第２中間レベル電圧ＶＭＭ２及び前記第２低レベル電圧ＶＬＬ２は、手順的に小さくなる電圧レベルである。好ましくは、前記第２中間レベル電圧ＶＭＭ２は、前記第２高レベル電圧ＶＨＨ２と前記第２低レベル電圧ＶＬＬ２の中間レベルである。
【００５０】
好ましい実施例において、前記第１高レベル電圧ＶＨＨ１、前記第１中間レベル電圧ＶＭＭ１及び前記第１低レベル電圧ＶＬＬ１は、前記第２高レベル電圧ＶＨＨ２、前記第２中間レベル電圧ＶＭＭ２及び前記第２低レベル電圧ＶＬＬ２と各々同一である。
【００５１】
また、前記データ受信段階Ｓ２００では、前記第１プラス伝送線ＤＰ１と前記第１マイナス伝送線ＤＮ１の電圧レベル、また、前記第２プラス伝送線ＤＰ２と前記第２マイナス伝送線ＤＮ２の電圧レベルが受信され、前記第１及び前記第２出力データＤＱ１、ＤＱ２と前記基準出力データＤＱＣが発生する。
【００５２】
この際、前記第１出力データＤＱ１は、前記第１プラス伝送線ＤＰ１と前記第１マイナス伝送線ＤＮ１の電圧レベルの大小関係による論理状態を有する。前記第２出力データＤＱ２は、前記第２プラス伝送線ＤＰ２と前記第２マイナス伝送線ＤＮ２の電圧レベルの大小関係による論理状態を有する。また、前記基準出力データＤＱＣは、前記第１プラス伝送線ＤＰ１と前記第１マイナス伝送線ＤＮ１の電圧レベルが分圧される第１分圧電圧ＤＣ１と、前記第２プラス伝送線ＤＰ２と前記第２マイナス伝送線ＤＮ２の電圧レベルが分圧される第２分圧電圧ＤＣ２の大小関係による論理状態を有する。
【００５３】
好ましい実施例において、前記第１分圧電圧ＤＣ１は、前記第１プラス伝送線ＤＰ１と前記第１マイナス伝送線ＤＮ１の電圧レベルの平均電圧であり、前記第２分圧電圧ＤＣ２は、前記第２プラス伝送線ＤＰ２と前記第２マイナス伝送線ＤＮ２の電圧レベルの平均電圧である。
【００５４】
次に、本発明の差動データ送受信方法が記述される。
【００５５】
（差動データ送受信方法の一例）
図３は、図２の差動データ送受信方法の一例を説明するためのタイミング図である。図３の例では、前記第１及び前記第２伝送データＤＩＮ１、ＤＩＮ２が遷移されることができるデータ遷移可能時点ｔ＿ＤＴＮＳと前記基準伝送データＤＩＮＣの論理状態が遷移されることができる基準遷移可能時点ｔ＿ＲＴＮＳが同一のタイミングに制御される。
【００５６】
図３を参照すれば、第一乃至第四番目の区間であるＳＰ＿１乃至区間ＳＰ＿２では、前記第１及び第２出力データＤＱ１、ＤＱ２は、前記第１及び第２伝送データＤＩＮ１、ＤＩＮ２と同一の論理状態を有するようになり、前記基準出力データＤＱＣも、前記基準伝送データＤＩＮＣと同一の論理状態を有する。
【００５７】
一方、本発明の差動データ送受信方法において、前記第１及び前記第２伝送データＤＩＮ１、ＤＩＮ２と前記基準伝送データＤＩＮＣを供給する過程が多様な形態に具現されることができる。
【００５８】
図４は、図２の差動データ送受信方法の他の一例を説明するためのタイミング図である。図４の例では、前記第１及び前記第２伝送データＤＩＮ１、ＤＩＮ２が遷移されることができるデータ遷移可能時点ｔ＿ＤＴＮＳと前記基準伝送データＤＩＮＣの論理状態が遷移されることができる基準遷移可能時点ｔ＿ＲＴＮＳは、所定間隔のタイミングに制御される。好ましくは、前記データ遷移可能時点ｔ＿ＤＴＮＳは、前記基準遷移可能時点ｔ＿ＲＴＮＳの間隔の中間に位置する。
【００５９】
図４を参照すれば、第一番目の区間ＤＰ＿１及び第三番目の区間ＤＰ＿３、また、第二番目の区間の第１区間ＤＰ＿２ａ及び第２区間ＤＰ＿２ｂ、第四番目の区間の第１区間ＤＰ＿４ａ及び第２区間ＤＰ＿４ｂにおいて、前記第１及び第２出力データＤＱ１、ＤＱ２は、前記第１及び第２伝送データＤＩＮ１、ＤＩＮ２と同一の論理状態を有するようになり、前記基準出力データＤＱＣも、前記基準伝送データＤＩＮＣと同一の論理状態を有する。
【００６０】
本発明は、図面に示された一実施例を参照に説明されたが、これは、例示的なものに過ぎず、この技術分野における通常の知識を有する者ならこれから多様な変形及び均等な他の実施例が可能であることを理解することができるだろう。したがって、本発明の真正な技術的保護範囲は、添付の請求範囲の技術的思想によって定められるべきである。
【符号の説明】
【００６１】
１００  データ送信部
１１０  エンコードユニット
１２０  第１データローディングユニット
１２１  第１高レベル電圧プラススイッチ
１２２  第１中間レベル電圧プラススイッチ
１２３  第１低レベル電圧プラススイッチ
１２４  第１高レベル電圧マイナススイッチ
１２５  第１中間レベル電圧マイナススイッチ
１２６  第１低レベル電圧マイナススイッチ
１３０  第２データローディングユニット
１３１  第２高レベル電圧プラススイッチ
１３２  第２中間レベル電圧プラススイッチ
１３３  第２低レベル電圧プラススイッチ
１３４  第２高レベル電圧マイナススイッチ
１３５  第２中間レベル電圧マイナススイッチ
１３６  第２低レベル電圧マイナススイッチ
２００  データ受信部
２１０  第１分圧器
２２０  第２分圧器
２３０  第１比較器
２４０  第２比較器
２５０  分圧比較器
【図１】
2011041252.tif 000003
【図２】
2011041252.tif 000004
【図３】
2011041252.tif 000005
【図４】
2011041252.tif 000006